(57)【要約】【課題】セグメント構成の変更により受信性能の劣化が生じる。【解決手段】プリセットチャンネル設定時にチャンネルリストへの登録基準とする受信Ｃ／Ｎ比について、初期サーチ対象チャンネルの種別判定の結果が階層伝送なしであれば、前記登録基準の受信Ｃ／Ｎ比を増加させることを特徴とする。  帯域の使い方を１階層の１３セグメント伝送から、２階層の１＋１２セグメント伝送へと変更された場合でも、安定した受信を保持することが可能となる受信装置の提供が可能となる。【選択図】図２
2008118413.tif 000002
【特許請求の範囲】
【請求項１】
入力されたデジタル放送信号を選局する選局手段と、
前記選局手段が選局したデジタル放送を入力しＴＳ形式のデジタル信号として出力するＯＦＤＭ復調手段と、
前記ＯＦＤＭ復調手段に入力されたデジタル放送が部分受信であるか否かを判定するパラメータ種別判定手段と、
前記ＯＦＤＭ復調手段に入力されたデジタル放送のＣ／Ｎ比を検出するＣ／Ｎ検出手段とを備え、
チャンネル初期スキャン時に、前記選局手段が選局したデジタル放送のＣ／Ｎ比が所定の基準値より大きい場合は前記選局手段が選局したデジタル放送を受信可能と判定し、前記選局手段が選局したデジタル放送のＣ／Ｎ比が所定の基準値より小さい場合は受信不可能と判定するデジタル放送受信装置であって、
前記パラメータ種別判定手段が前記ＯＦＤＭ復調手段に入力されたデジタル放送が部分受信で無いと判断した場合は、前記基準値が所定量増加することを特徴とするデジタル放送受信装置。
【請求項２】
入力されたデジタル放送信号を選局する選局手段と、
前記選局手段が選局したデジタル放送を入力しＴＳ形式のデジタル信号として出力するＯＦＤＭ復調手段と、
前記ＯＦＤＭ復調手段に入力されたデジタル放送が部分受信であるか否かを判定するパラメータ種別判定手段と、
前記ＯＦＤＭ復調手段に入力されたデジタル放送のＣ／Ｎ比を検出するＣ／Ｎ検出手段とを備え、
チャンネル初期スキャン時に、前記選局手段が選局したデジタル放送のＣ／Ｎ比が所定の基準値より大きい場合は前記選局手段が選局したデジタル放送を受信可能と判定し、前記選局手段が選局したデジタル放送のＣ／Ｎ比が所定の基準値より小さい場合は受信不可能と判定するデジタル放送受信装置であって、
前記パラメータ種別判定手段が前記ＯＦＤＭ復調手段に入力されたデジタル放送が部分受信で無いと判断し、且つ、前記ＯＦＤＭ復調手段に入力されたデジタル放送の複数のセグメントのうち、所定のセグメントのＣ／Ｎ比が他の複数のセグメントより大きかった場合は、前記基準値が所定量増加することを特徴とするデジタル放送受信装置。
【発明の詳細な説明】
【技術分野】
【０００１】
本発明は、デジタルテレビなどの受信装置において、将来可能性のある放送パラメータ変化に対する受信障害を、チャンネル初期スキャン時に事前防止する受信装置を提供するものである。
【背景技術】
【０００２】
地上波デジタル放送受信装置では、番組を視聴する前準備として、設置状況において受信可能な物理チャンネルを受信機へ登録するチャンネル初期スキャンという機能がある。受信機へ登録するチャンネルために該チャンネルが受信可能であるための判定が課題となるが、その受信可否基準は、受信品質を指標化した値を使用することになる。
【０００３】
例えば、ＡＲＩＢ  ＴＲ−Ｂ１４に示されており、その開示内容によりチャンネルのプリセットは効率よく実施されることが知られている。
【０００４】
上記非特許文献１は、チャンネル初期スキャンにおける受信可否基準を、受信信号を元に復調部で算出する受信Ｃ／Ｎ比やＢＥＲなどを利用しており、放送波の伝送パラメータ種別によらず全チャンネル同様な判定を行っている。
【非特許文献１】ＡＲＩＢ  ＴＲ−Ｂ１４（第二編地上デジタル放送運用規定／受信機機能仕様）の初期設定（２−１０）
【発明の開示】
【発明が解決しようとする課題】
【０００５】
２００６年より、地上波デジタル放送では帯域の一部を使用する１セグメント放送が開始される。放送局により異なるが、開局当初１３セグメントによる１階層伝送を採用している場合、１セグメント放送へ対応するには、帯域の使い方を１階層の１３セグメント伝送から、２階層の１＋１２セグメント伝送へと変更される。標準のＨＤテレビ放送は１３セグメントの帯域から１２セグメントの帯域へ変更されて伝送されることになる。
【０００６】
地上デジタル放送の受信環境では到達時間やレベルが異なった同一の電波を受信するゴースト環境での受信が一般的で、この影響により同じチャンネル帯域内でもレベル差が生じ、セグメント毎の受信品質も異なってしまう。受信環境によっては、１３セグメント分での受信品質は受信可能レベルであるにもかかわらず、１２セグメント分では受信不可のレベルになりうる。例えば受信限界Ｃ／Ｎ比を２０とし、各セグメントの受信Ｃ／Ｎ比を中心のセグメント３２ｄＢ、その他１２セグメントを１９と仮定した場合、１３セグメント１階層での受信Ｃ／Ｎ比は、２０ｄＢ（＝（３２ｘ１＋１９ｘ１２）／１３）となり、受信可能判定される。一方、１２セグメント伝送で判定すると帯域中心の１階層分が加算されないことで、受信Ｃ／Ｎ比は１９ｄＢとなり受信不可能となってしまう。
【０００７】
このように従来の方法では、この伝送パラメータの変更に伴い、受信環境によってはそれまで視聴できていた番組が受信不良になることがあった。
【０００８】
本発明は、セグメント構成の変更に伴う受信性能の劣化の課題に対して、チャンネル初期スキャン時に該パラメータ変更を予測、チャンネルリスト作成に反映することで受信障害を防止するデジタル放送受信装置を提供するものである。
【課題を解決するための手段】
【０００９】
前記課題を解決するために、第一の発明に係るデジタル放送受信装置は、入力されたデジタル放送信号を選局する選局手段と、前記選局手段が選局したデジタル放送を入力しＴＳ形式のデジタル信号として出力するＯＦＤＭ復調手段と、前記ＯＦＤＭ復調手段に入力されたデジタル放送が部分受信であるか否かを判定するパラメータ種別判定手段と、前記ＯＦＤＭ復調手段に入力されたデジタル放送のＣ／Ｎ比を検出するＣ／Ｎ検出手段とを備え、チャンネル初期スキャン時に、前記選局手段が選局したデジタル放送のＣ／Ｎ比が所定の基準値より大きい場合は前記選局手段が選局したデジタル放送を受信可能と判定し、前記選局手段が選局したデジタル放送のＣ／Ｎ比が所定の基準値より小さい場合は受信不可能と判定するデジタル放送受信装置であって、前記パラメータ種別判定手段が前記ＯＦＤＭ復調手段に入力されたデジタル放送が部分受信で無いと判断した場合は、前記基準値が所定量増加することを特徴とするものである。
【００１０】
また、第二の発明に係るデジタル放送受信装置は、入力されたデジタル放送信号を選局する選局手段と、前記選局手段が選局したデジタル放送を入力しＴＳ形式のデジタル信号として出力するＯＦＤＭ復調手段と、前記ＯＦＤＭ復調手段に入力されたデジタル放送が部分受信であるか否かを判定するパラメータ種別判定手段と、前記ＯＦＤＭ復調手段に入力されたデジタル放送のＣ／Ｎ比を検出するＣ／Ｎ検出手段とを備え、チャンネル初期スキャン時に、前記選局手段が選局したデジタル放送のＣ／Ｎ比が所定の基準値より大きい場合は前記選局手段が選局したデジタル放送を受信可能と判定し、前記選局手段が選局したデジタル放送のＣ／Ｎ比が所定の基準値より小さい場合は受信不可能と判定するデジタル放送受信装置であって、前記パラメータ種別判定手段が前記ＯＦＤＭ復調手段に入力されたデジタル放送が部分受信で無いと判断し、且つ、前記ＯＦＤＭ復調手段に入力されたデジタル放送の複数のセグメントのうち、所定のセグメントのＣ／Ｎ比が他の複数のセグメントより大きかった場合は、前記基準値が所定量増加することを特徴とするデジタル放送受信装置。
【発明の効果】
【００１１】
以上のように、本発明のデジタル放送受信装置によれば、帯域の一部を使用する１セグメント放送が開始されるが、この時帯域の使い方を１階層の１３セグメント伝送から、２階層の１＋１２セグメント伝送へと変更され、従来の方法では、この伝送パラメータの変更に伴い、受信環境によってはそれまで視聴できていた番組が受信不良になることがあったが、この発明により伝送パラメータ切替による悪影響を防止することが可能となる。
【発明を実施するための最良の形態】
【００１２】
以下、本発明に係るデジタル放送受信装置について説明する。。
【００１３】
（実施の形態１）
以下に、本発明の一実施の形態におけるデジタル放送受信装置について、図１及び図２を用いて説明する。
【００１４】
図１は本実施の形態におけるデジタル放送受信装置の構成図である。国内の地上デジタルテレビ放送方式（ＩＳＤＢ−Ｔ）に対応するデジタル放送受信装置であり、放送信号が入力される入力端子１０１と、入力されたテレビ信号から目的のチャンネルの信号を選局し所定の中間周波数帯域の信号のみを取り出すチューナ回路１０２と、チューナ回路１０２が出力するＯＦＤＭ変調された中間周波数帯のアナログ信号を、デジタル変換しデジタル復調処理によりＴＳ（Ｔｒａｎｓｐｏｒｔ  Ｓｔｒｅａｍ）形式のデジタル信号を出力するＯＦＤＭ復調回路１０３と、ＴＳ形式のデジタルデータを映像、音声および制御情報のデータに分離するＴＳ分離部１０４と、ＴＳ分離部１０４から分離された符号化映像データと音声データを復号する映像・音声復号回路１０５から構成される放送波から映像と音声を復調する信号処理系のブロックと、ＯＦＤＭ復調回路の同期状態を検出する同期検出回路１１３と、ＯＦＤＭ復調回路１０３の信号を利用して受信信号のＣ／Ｎ比を算出するＣ／Ｎ検出回路１０６と、放送波に多重されたＴＭＣＣ信号を解析することにより入力されたデジタル放送が部分受信であるか否かを判定するパラメータ種別判定回路１０７と、ＴＳ分離部１０５から分離された制御情報を解析する制御情報解析回路１０８などの選局制御に使用する制御系のブロックから構成される。また、記憶回路１１０はチャンネル選局やサーチ動作など受信動作に必要となるプログラムやデータを格納し、制御回路１０９は、記憶回路１１１に格納されたプログラムにより、チューナ１０２、ＯＦＤＭ復調回路１０３、ＴＳ分離回路１０４、および制御情報分離回路１０８の制御、あるいは状態を監視するものである。
【００１５】
地上デジタル放送では、受信機設置時に放送サービスが行われているチャンネルを探索するチャンネル初期スキャンという動作が必要で、この動作により放送サービスを示す番号、例えばｓｅｒｖｉｃｅ＿ＩＤと、そのサービスを選局するための情報、例えばチャンネル番号などを関連付けるテーブル、例えばサービスリストを作成し、番組選局に使用する。
【００１６】
制御部１０９の処理について図２を用いて説明する。チャンネル初期スキャンモードに入ると、まず所定の物理ｃｈを選局（Ｓ２０１）し、同期確認を行う（Ｓ２０２）。同期を確認した場合には次の部分受信判定ステップ（Ｓ２０３）へ移り、同期確認できない場合には次ｃｈ設定判定ステップ（Ｓ２０８）へ移る。ここで、部分受信であるとは、同一チャンネル帯域内に複数階層が存在する複数階層伝送の場合を示し、例えば２階層の１＋１２セグメント伝送が考えられる。また、部分受信で無いとは、同一チャンネル帯域内に１階層のみが存在する１階層伝送の場合を示し、例えば１階層の１３セグメント伝送が考えられる。部分受信判定ではＴＭＣＣの部分受信を示すフラグにより確認され、部分受信の場合にはＣ／Ｎ比基準設定ステップ（Ｓ２０４）へ移り、部分受信でない場合にはマージン設定ステップ（Ｓ２０９）へ移る。マージン設定ステップ（Ｓ２０９）では部分受信なしの放送から部分受信ありへの放送へとセグメント構成が変更された場合の標準テレビ放送の受信機での性能劣化分を考慮してマージンを設定する。Ｃ／Ｎ比基準設定ステップでは予め設定された映像受信可能とされる値がデフォルト値として設定されている。部分受信である場合には、デフォルト値を基準値とする一方、部分受信で無い場合には、デフォルト値に算出したマージンを加えた値を基準値とする。受信品質判定ステップ（Ｓ２０５）では現ｃｈでの受信品質としての受信Ｃ／Ｎ比と前ステップで設定されたＣ／Ｎ比基準との比較を行い、現ｃｈでの受信Ｃ／Ｎ比が大きい場合には受信可能としてＮＩＴ／ＰＡＴ取得ステップ（Ｓ２０６）へと移り、現ｃｈの受信Ｃ／Ｎ比が小さく受信不可能と判断された場合には次ｃｈ設定ステップ（Ｓ２０８）へと移る。ＮＩＴ／ＰＡＴ取得ステップ（Ｓ２０６）で必要な情報が取得できた場合にはその情報を次ステップでサービスリストに登録（Ｓ２０７）し、ＮＩＴ／ＰＡＴが取得できない場合には次ｃｈ設定ステップ（Ｓ２０８）へ移る。次ｃｈ設定では最終周波数であるかを判定し所定ｃｈのサーチが終了していない場合には、次ｃｈ設定を行い物理ｃｈ選局ステップ（Ｓ２０１）へ移る。
【００１７】
なお、制御部は単独で集積化、あるいはデジタル回路ブロックと共に集積化することも可能である。
【００１８】
かかる構成によると、部分受信でない状態でチャンネル初期スキャンをした場合であっても、部分受信である放送形態に切り換った場合を想定してＣ／Ｎ比基準設定ステップにおいて基準量を算出しているので、放送形態が部分受信でない状態から部分受信である状態に切り換った場合であっても、当該切り換えに起因する受信不良を防止することができる。
【００１９】
（実施の形態２）
次に、本発明に係るデジタル放送受信装置の他の実施の形態について説明する。受信機構成は実施の形態１と同様であることから説明を省略し、制御部の説明を図３を用いて行う。
【００２０】
図３は本実施の形態に記載するデジタル放送受信装置の制御部説明図である。図３に記載の内容のうち、図２で説明した実施の形態１のデジタル放送受信装置と同様な動作を有する部分については、同じ符号を付与し重複する説明を省略する。
【００２１】
地上デジタル放送では、受信機設置時に放送サービスが行われているチャンネルを探索するチャンネル初期スキャンという動作が必要で、この動作により放送サービスを示す番号、例えばｓｅｒｖｉｃｅ＿ＩＤと、そのサービスを選局するための情報、例えばチャンネル番号などを関連付けるテーブル、例えばサービスリストを作成し、番組選局に使用する。
【００２２】
制御部１０９の処理について図３を用いて説明する。チャンネル初期スキャンモードに入ると、まず所定の物理ｃｈを選局（Ｓ３０１）し、同期確認を行う（Ｓ３０２）。同期を確認した場合には次の部分受信判定ステップ（Ｓ３０３）へ移り、同期確認できない場合には次ｃｈ設定判定ステップ（Ｓ３０８）へ移る。部分受信判定ではＴＭＣＣの部分受信を示すフラグにより確認され、部分受信の場合にはＣ／Ｎ比基準設定ステップ（Ｓ３０４）へ移り、部分受信でない場合にはｆ特判定ステップ（Ｓ３１０）へ移る。ｆ特判定ステップではＯＦＤＭ信号のセグメント毎の受信Ｃ／Ｎ比を比較して検出する。そして、部分受信で使用されるセンター付近のセグメントの受信Ｃ／Ｎ比が他の１２セグメントの値よりも大きい場合にｆ特判定（Ｙｅｓ）、小さい場合にはｆ特判定（Ｎｏ）として分岐される。ｆ特判定がＹｅｓの場合はＣ／Ｎ比基準設定ステップ（Ｓ３０４）へ移り、ｆ特判定がＮｏの場合はマージン設定（Ｓ３０９）へ移る。マージン算出の一例としては、例えば、マージン＝（１セグメントに対応する部分のＣ／Ｎ比  −  １２セグメントに対応する部分のＣ／Ｎ比）／１３  により算出できる。部分受信である場合、もしくは、部分受信ではなくｆ特判定でセンター付近のセグメントの受信Ｃ／Ｎ比が他の１２セグメントの値以下と判定された場合はデフォルト値を基準値とする。一方、部分受信ではなくｆ特判定でセンター付近のセグメントの受信Ｃ／Ｎ比が他の１２セグメントの値より大きいと判定された場合はデフォルト値に算出したマージンを加えた値を基準値とする。マージン設定ステップ（Ｓ３０９）では部分受信なしの放送から部分受信ありへの放送へとセグメント構成が変更された場合の標準テレビ放送の受信機での性能劣化分を考慮してマージンを設定する。受信品質判定ステップ（Ｓ３０５）では現ｃｈでの受信品質としての受信Ｃ／Ｎ比と前ステップで設定されたＣ／Ｎ比基準との比較を行い、現ｃｈでの受信Ｃ／Ｎ比が大きい場合には受信可能としてＮＩＴ／ＰＡＴ取得ステップ（Ｓ３０６）へと移り、現ｃｈの受信Ｃ／Ｎ比が小さく受信不可能と判断された場合には次ｃｈ設定ステップ（Ｓ３０８）へと移る。ＮＩＴ／ＰＡＴ取得ステップ（Ｓ３０６）で必要な情報が取得できた場合にはその情報を次ステップでサービスリストに登録（Ｓ３０７）し、ＮＩＴ／ＰＡＴが取得できない場合には次ｃｈ設定ステップ（Ｓ３０８）へ移る。次ｃｈ設定では最終周波数であるかを判定し所定ｃｈのサーチが終了していない場合には、次ｃｈ設定を行い物理ｃｈ選局ステップ（Ｓ３０１）へ移る。
【００２３】
なお、制御部は単独で集積化、あるいはデジタル回路ブロックと共に集積化することも可能である。
【００２４】
かかる構成によると、部分受信でない状態でチャンネル初期スキャンをした場合であっても、部分受信である放送形態に切り換った場合を想定してＣ／Ｎ比基準設定ステップにおいて基準量を算出しているので、放送形態が部分受信でない状態から部分受信である状態に切り換った場合であっても、当該切り換えに起因する受信不良を防止することができる。
【産業上の利用可能性】
【００２５】
本発明のテレビ受信装置は、帯域の使い方を１階層の１３セグメント伝送から、２階層の１＋１２セグメント伝送へと変更される場合の伝送パラメータの変更に伴う受信不良の課題に対して、悪影響を防止することが可能となることから、デジタル放送受信装置における高性能・利便性の実現に有用である。
【図面の簡単な説明】
【００２６】
【図１】本発明の実施の形態１または２に係るデジタル放送受信機の構成を示すブロック図
【図２】本発明の実施の形態１に係るデジタル放送受信機の動作を説明するフローチャート
【図３】本発明の実施の形態２に係るデジタル放送受信機の動作を説明するフローチャート
【符号の説明】
【００２７】
１０１    入力端子
１０２    チューナ回路
１０３    ＯＦＤＭ復調回路
１０４    ＴＳ分離回路
１０５    映像・音声復号回路
１０６    Ｃ／Ｎ検出回路
１０７    パラメータ種別判定回路
１０８    制御情報回路
１０９    制御回路
１１０    記憶回路
１１１    映像信号
１１２    音声信号
１１３    同期検出
【図１】
2008118413.tif 000003
【図２】
2008118413.tif 000004
【図３】
2008118413.tif 000005